(57)【特許請求の範囲】
【請求項１】
排水孔が開口されたドレイン本体上に、狭幅状通水間隙を備えたストレーナーが被着され、該ストレーナーを通水性の防塵筺体で被覆してなるルーフドレインにおいて、
狭幅状通水間隙よりも広い横幅の、ストレーナーの表面に当接される係止頭部と、
該係止頭部に上方突成されて防塵筺体に連結されるものであり、防塵筺体に下方から挿通され、その突出端側にナットが螺着される螺子杆からなる連結杆と、
前記係止頭部の下部から延出されてストレーナーの狭幅状通水間隙に上方から挿通されるものであり、係止頭部の下部から延出された左右一対の支持脚と、各支持脚の下端に連設され、上方に至るに従って拡開して、その上端がストレーナーの裏面と係合する左右一対の弾性爪片とによって構成される弾性係合部
とを備えてなることを特徴とするルーフドレインにおける防塵筺体の固定装置。
【発明の詳細な説明】
【０００１】
【発明の属する技術分野】
本発明は、ルーフドレインのストレーナーを覆う防塵筺体を固定するために用いる防塵筺体の固定装置に関する
【０００２】
【従来の技術】
ルーフドレインａは、図１０，図１１に示すように、屋上やバルコニー等の床面ｆに埋設される受皿部ｂと、該受皿部ｂの中央に開口された排水孔ｃを囲繞するようにして下方に延成された排水管部ｄとによってドレイン本体ｅが構成されており、該ドレイン本体ｅ上に複数の狭幅状通水間隙ｖを備えたストレーナーｇが被着されるとともに、前記排水管部ｄに樋管ｈが接続される。そして、周囲の床面ｆからストレーナーｇの狭幅状通水間隙ｖを介して受皿部ｂに流入する雨水を排水孔ｃから樋管ｈに流し込んでその排水を行い得るようになっている。
【０００３】
ところで、かかる構成のルーフドレインａを、ちりや落葉等の塵芥が多い場所で使用すると、雨水とともに流れて来る塵芥のうち、比較的大きなものはストレーナーｇによって一応取り除くことができるものの、ストレーナーｇの狭幅状通水間隙ｖを通過し得る小さな塵芥は、雨水とともに樋管ｈに流れ込んでしまい、内部で滞留して、排水作用を損ねるという問題がある。そこで、近年、図１０，図１１に示すように、線杆からなる外郭フレームｉに目の細かい金網ｊを張設してなる防塵筺体ｋで、ストレーナーｇを被覆することにより、小さな塵芥の流入を防止するようにしたルーフドレインａが一部で案出されている。
【０００４】
【発明が解決しようとする課題】
上記防塵筺体ｋは、流水圧等の外圧によって位置ずれしないように、固定手段を介してドレイン本体ｅに固定されるが、従来の固定手段は、図１０に示すように、ストレーナーｇを固定するための既存のビスｍを利用して、防塵筺体ｋをストレーナーｇとともにドレイン本体ｅに固定したり、或いは、図１１に示すように、下端に係合部ｎを備えたＬ形の螺子杆ｐを、ストレーナーｇの狭幅状通水間隙ｖに挿通し、その係合部ｎをストレーナーｇの裏面に係合させた状態でナットｑを上部側に螺着してストレーナーｇに取付けるとともに、該螺子杆ｐを防塵筺体ｋに下方から挿通し、その突出端側にナットｒを螺着することにより、防塵筺体ｋを固定したりしている。
【０００５】
ところが、このような従来の固定手段にあって、前者のストレーナーｇを固定するためのビスｍを利用するものは、該ビスｍにより固定される部分に、外郭フレームｉの下縁を内方に延出させて所要形状の取付け部ｔを形成したり、該取付け部ｔの上方にドライバーを挿通する開口部ｕを形成したりしなければならないため、防塵筺体ｋの構造が複雑となり、製造コストが高くなるという問題点があった。また、後者のＬ形の螺子杆ｐを用いるものは、螺子杆ｐをナットｑによってストレーナーｇに取付けるに際して、螺子杆ｐを落し易く、該螺子杆ｐを保持した状態でナットｑを螺合操作しなければならないため、その取付け作業が面倒であり、さらに、二個のナットｑ，ｒを螺子杆ｐに夫々螺着する必要があるため、手間と時間が掛り、作業能率が悪いという問題点があった。
【０００６】
本発明は、かかる従来の問題点を解消し得るルーフドレインにおける防塵筺体の固定装置を提供することを目的とするものである。
【０００７】
【課題を解決するための手段】
本発明は、排水孔が開口されたドレイン本体上に、狭幅状通水間隙を備えたストレーナーが被着され、該ストレーナーを通水性の防塵筺体で被覆してなるルーフドレインにおいて、
狭幅状通水間隙よりも広い横幅の、ストレーナーの表面に当接される係止頭部と、
該係止頭部に上方突成されて防塵筺体に連結されるものであり、防塵筺体に下方から挿通され、その突出端側にナットが螺着される螺子杆からなる連結杆と、
前記係止頭部の下部から延出されてストレーナーの狭幅状通水間隙に上方から挿通されるものであり、係止頭部の下部から延出された左右一対の支持脚と、各支持脚の下端に連設され、上方に至るに従って拡開して、その上端がストレーナーの裏面と係合する左右一対の弾性爪片とによって構成される弾性係合部
とを備えてなることを特徴とするルーフドレインにおける防塵筺体の固定装置である。
【０００８】
かかる構成にあって、係止頭部の下部から延出された弾性係合部は、その横幅を弾性変形を介して狭めた状態で、ストレーナーの狭幅状通水間隙に上方から挿通させることが可能であり、このように横幅を狭めて狭幅状通水間隙に挿通させることにより、該弾性係合部が、その弾性により拡開してストレーナーの裏面に係合される。これにより、固定装置をストレーナーにワンタッチで簡単に取付けることができ、係止頭部に上方突成された連結杆によって防塵筺体を固定することができる。また、係止頭部がストレーナーの表面に当接することにより、固定装置が狭幅状通水間隙からストレーナー内に落ちることがない。
【０００９】
また、上記構成にあって、連結杆を、防塵筺体に下方から挿通されて、その突出端側にナットが螺着される螺子杆とする構成が好適な実施態様として提案され得る。このように、連結杆を螺子杆とし、該螺子杆を防塵筺体に下方から挿通して、その突出端側にナットを螺着して緊締することにより、防塵筺体を簡単に固定することができる。これにより、防塵筺体に従来のような取付け部や開口部等を設ける必要がないので、防塵筺体の構造が複雑にならず、製造コストが高くなることがない。
【００１０】
さらに、上記構成にあって、弾性係合部を、係止頭部の下部から延出された支持脚と、該支持脚の下端に連設され、上方に至るに従って拡開して、その上端がストレーナーの裏面と係合する左右一対の弾性爪片とによって構成するようにしたものが好適な実施態様として提案され得る。ここで、支持脚と弾性爪片は、金属製の板バネや弾性を有する合成樹脂によって一体に形成したり、支持脚に対して板バネからなる弾性爪片を固着させて形成することができる。そして、このように支持脚の下端に、上方に至るに従って拡開する左右一対の弾性爪片を連設することにより、ストレーナーの狭幅状通水間隙への挿通時に、該弾性爪片が狭幅状通水間隙の左右側壁面によって押圧されて自動的に狭められるとともに、該弾性爪片が狭幅状通水間隙を通過すると、その弾性によって拡開して、その上端がストレーナーの裏面に係合される。これにより、弾性係合部を狭幅状通水間隙内に上方から押込むだけで固定装置を簡単にストレーナーに取付けることができる。
【００１１】
【発明の実施の形態】
以下に、本発明の第一実施例を、図１〜図４について説明する。
【００１２】
図１において、１は、本発明が適用されるルーフドレインを示す。該ルーフドレイン１のドレイン本体２は、屋上やバルコニー等の床面ｆに埋設される受皿部３と、該受皿部３の中央に開口された排水孔４を囲繞するようにして下方に延成された排水管部５とによって構成されている。前記受皿部３の上面には、床面ｆ上に敷設されるシート防水層（図示省略）の縁部を挟持する防水層押え盤６が、受皿部３に立設された螺子杆７ａと、該螺子杆７ａに螺合されるナット７ｂとによって固定されており、該防水層押え盤６上に複数の狭幅状通水間隙９を備えたストレーナ８が配設されている。該ストレーナ８は、その下部鍔縁１０を螺子１１によって防水層押え盤６に固定することにより、該防水層押え盤６を介してドレイン本体２に被着されている。尚、図示したルーフドレイン１は、シート防水用及びアスファルト防水用として構成されており、防水層押え盤６を備えているが、モルタル防水用及び塗膜防水用として構成されるものは、該防水層押え盤６が除去される。この場合には、ストレーナ８が受皿部３に螺子１１で直接固定されることとなる。
【００１３】
前記排水管部５の下部内周面には、雌螺子１２が刻設されており、樋管１３の上端に形成された雄螺子１４を前記雌螺子１２に螺合することにより、該樋管１３が排水管部５に接続されている。これにより、周囲の床面ｆからストレーナー８の狭幅状通水間隙９を介して受皿部３に流入する雨水を排水孔４から樋管１３に流し込んでその排水を行い得るようになっている。
【００１４】
また、前記ドレイン本体２上には、ストレーナ８を被覆する通水性の防塵筺体１５が配設されている。該防塵筺体１５は、截頭円錐形の外郭を成す線杆からなる外郭フレーム１６と、該外郭フレーム１６の外面全体に亘って張設された５メッシュ程度の網目の金網１７とによって構成されており、該防塵筺体１５が、本発明にかかる固定装置１８によってドレイン本体２上に固定されている。
【００１５】
この固定装置１８は、図３，図４に示すように、ストレーナー８の表面に当接される係止頭部１９と、該係止頭部１９に上方突成されて防塵筺体１５に連結される連結杆２０と、前記係止頭部１９の下部から延出されてストレーナー８の狭幅状通水間隙９に上方から挿通され、その挿通状態で拡開してストレーナー８の裏面に係合する弾性係合部２１とを備えている。
【００１６】
この第一実施例では、前記係止頭部１９と弾性係合部２１は、金属製の板バネを曲成することにより一体形成されている。即ち、係止頭部１９は、帯状の板バネの中央部分を断面矩形状に屈曲させ、ストレーナー８の狭幅状通水間隙９より広い横幅となるように形成されており、また、弾性係合部２１は、係止頭部１９を形成した板バネの余剰部分を下方に延出させた左右一対の支持脚２２，２２と、該支持脚２２，２２の下端を外側に夫々折返し、かつ、上方に至るに従って拡開させた左右一対の弾性爪片２３，２３とによって構成されている。これにより、弾性係合部２１に、その横幅を狭めるように退避可能な弾性を付与するようにしている。また、該弾性爪片２３，２３の上端と、係止頭部１９の下面１９ａ，１９ａとの間には、ストレーナー８の肉厚と略同一、又は若干広い間隙ｓが設けられており、弾性係合部２１がストレーナー８の狭幅状通水間隙９に上方から挿通された状態で、弾性爪片２３，２３の上端がストレーナー８の裏面と係合し得るようになっている。
【００１７】
また、前記連結杆２０は、係止頭部１９の上面に溶接等の固着手段により固着された螺子杆からなり、防塵筺体１５に下方から挿通された状態で、その突出端側に螺着されるナット２４によって防塵筺体１５に連結される。ここで、該ナット２４として蝶ナットが用いられており、素手でその螺回操作を容易に行い得るようにしている。
【００１８】
尚、上記固定装置１８を構成する係止頭部１９と弾性係合部２１及び連結杆２０は防錆のためにステンレスが素材に用いられており、また、ナット２４もステンレス製となっている。
【００１９】
かかる構成からなる固定装置１８によって防塵筺体１５をドレイン本体２上に固定するには、まず、ドレイン本体２に被着された状態にあるストレーナー８の狭幅状通水間隙９に弾性係合部２１を上方から挿通して、該弾性係合部２１をストレーナー８の裏面に係合させる。ここで、弾性係合部２１を構成する支持脚２２，２２と弾性爪片２３，２３は、その弾性変形を介して全体の横幅を狭めることが可能であり、該弾性係合部２１を狭幅状通水間隙９へ上方から挿通することにより、弾性爪片２３，２３が狭幅状通水間隙９の左右側壁面によって押圧されて横幅が自動的に狭められるとともに、該弾性爪片２３，２３が狭幅状通水間隙９を通過すると、その弾性によって拡開して、図３に示すように、その上端がストレーナー８の裏面に係合されることとなる。これにより、弾性係合部２１を狭幅状通水間隙９内に上方から押込むだけのワンタッチ操作で固定装置１８を簡単にストレーナー８に取付けることができる。また、この取付け操作時にあって、係止頭部１９の横幅がストレーナー８の狭幅状通水間隙９より広いため、係止頭部１９の下面１９ａ，１９ａがストレーナー８の表面に当接して、固定装置１８が狭幅状通水間隙９からストレーナー８内に落ちることがない。
【００２０】
上記のように固定装置１８をストレーナー８に取付けた後、該ストレーナー８に防塵筺体１５を被せる。これにより、係止頭部１９に上方突成されている連結杆２０が防塵筺体１５の網目に下方から挿通されることとなり、その突出端側にナット２４を螺着して緊締することにより、図１に示すように、防塵筺体１５を簡単に固定することができる。そして、このように防塵筺体１５に下方から挿通された連結杆２０の突出端側にナット２４を螺着して緊締することにより、防塵筺体１５を固定し得るので、防塵筺体１５に固定用の取付け部や開口部等を設ける必要がなく、防塵筺体の構造が複雑にならないため、製造コストが高くなることがない。
【００２１】
そして、上記のように固定装置１８により防塵筺体１５をドレイン本体２上に固定することにより、該防塵筺体１５の位置ずれが防止され、また、該防塵筺体１５によって雨水に含まれている小さな塵芥を除去することができる。
【００２２】
図５，図６は、固定装置１８の第二実施例を示し、この実施例は、第一実施例における弾性係合部２１の構成を若干変更したものであって、係止頭部１９を形成した板バネの余剰部分を下方に延出させた左右一対の支持脚２２，２２に、略コ字形の切込み２５を夫々形成し、該切込み２５で囲繞された部分を上方に至るに従って拡開するように外側に引出すことにより、弾性爪片２３，２３としたものである。この点以外は前記第一実施例と同一構成であり、同一部分に同一符号を付して重複する説明を省略する。そして、このように弾性係合部２１を構成しても、第一実施例と同一の作用効果を奏するものとなる。
【００２３】
図７，図８は、固定装置１８の第三実施例を示し、この実施例にあっては、断面矩形状の係止頭部１９と、弾性係合部２１を構成する単一の支持脚２２とが型材により一体形成されている。係止頭部１９の下部に連成された支持脚２２の下端には、金属製の板バネからなる左右一対の弾性爪片２３，２３が固着されており、該弾性爪片２３，２３は、上方に至るに従って拡開されて、その上端をストレーナー８の裏面に係合し得るようになっている。ここで、前記型材は、金属又は合成樹脂を用いることが可能であり、型材に金属を用いた場合には、図７に示すように、係止頭部１９に上方突成される螺子杆からなる連結杆２０は、係止頭部１９の上面に溶接等の固着手段により固着される。また、弾性爪片２３，２３は、支持脚２２に溶接，リベット締め，ボルト締め等の固着手段により固着される。一方、型材に合成樹脂を用いた場合には、図８に示すように、連結杆２０は、その基部を係止頭部１９内に埋入して固着される。また、弾性爪片２３，２３は、支持脚２２にリベット締め，ボルト締め等の固着手段により固着される。
【００２４】
図９は、固定装置１８の第四実施例を示し、この実施例では、係止頭部１９と弾性係合部２１が、適宜の弾性を有する合成樹脂によって一体形成されている。即ち、断面矩形状に形成された係止頭部１９の下部から弾性係合部２１が下方に延出されており、該弾性係合部２１は、左右一対の支持脚２２，２２と、該支持脚２２，２２の下端に、上方に至るに従って拡開する鉤状の爪片２３’，２３’とを備えている。支持脚２２，２２の間には、下部が開放された適宜幅の割溝２６が上下方向に形成されており、該割溝２６によって、ストレーナー８の狭幅状通水間隙９への挿通時に、弾性係合部２１を、その横幅を狭めるように退避可能とし、爪片２３’，２３’が狭幅状通水間隙９を通過すると、その弾性によって拡開して、該爪片２３’，２３’の上面をストレーナー８の裏面に係合させ得るようになっている。また、係止頭部１９に上方突成される螺子杆からなる連結杆２０は、その基部を係止頭部１９内に埋入することにより固着されている。
【００２５】
そして、この第四実施例及び前記第三実施例にかかる固定装置１８にあっても、第一実施例と同一の作用効果を得ることができる。
【００２６】
尚、第一実施例においては、円形のルーフドレイン１のストレーナー８を被覆する截頭円錐形の防塵筺体１５を固定装置１８によって固定する場合について説明したが、本発明にかかる固定装置１８は、側断面が三角形状を呈するコーナー用のルーフドレインの防塵筺体を固定する場合にも使用することが可能である。
【００２７】
【発明の効果】
本発明は上述したように、ストレーナー８の表面に当接される係止頭部１９と、該係止頭部１９に上方突成されて防塵筺体１５に連結される連結杆２０と、前記係止頭部１９の下部から延出されてストレーナー８の狭幅状通水間隙９に上方から挿通され、その挿通状態で拡開してストレーナー８の裏面に係合する弾性係合部２１とにより、防塵筺体１５の固定装置１８を構成したから、横幅を狭めた状態で弾性係合部２１を狭幅状通水間隙９に上方から挿通し、該弾性係合部２１を、その弾性により拡開させてストレーナー８の裏面に係合させることにより、固定装置１８をストレーナー８にワンタッチで簡単に取付けることができ、係止頭部１９に上方突成された連結杆２０によって防塵筺体１５を固定することができる。また、取付け操作時にあって、係止頭部１９がストレーナー８の表面に当接することにより、固定装置１８が狭幅状通水間隙９から８ストレーナー内に落ちることがない。
【００２８】
また、前記連結杆２０を、防塵筺体１５に下方から挿通され、その突出端側にナット２４が螺着される螺子杆によって構成することにより、ナット２４の緊締作用を介して防塵筺体１５を簡単に固定することができ、防塵筺体１５に従来のような取付け部ｔや開口部ｕ等（図１０参照）を設ける必要がないので、防塵筺体１５の構造が複雑にならず、製造コストが高くなることがない。
【００２９】
さらに、前記弾性係合部２１を、係止頭部１９の下部から延出された支持脚２２と、該支持脚２２の下端に連設され、上方に至るに従って拡開して、その上端がストレーナー８の裏面と係合する左右一対の弾性爪片２３，２３とによって構成することにより、ストレーナー８の狭幅状通水間隙９への挿通時に、該弾性爪片２３，２３が狭幅状通水間隙９の左右側壁面によって押圧されて自動的に狭められるとともに、該弾性爪片２３，２３が狭幅状通水間隙９を通過すると、その弾性によって拡開して、その上端がストレーナー８の裏面に係合される。これにより、弾性係合部２１を狭幅状通水間隙９内に上方から押込むだけで固定装置１８を簡単にストレーナー８に取付け得る等の優れた効果がある。
【図面の簡単な説明】
【図１】第一実施例にかかる固定装置の施工状態を示す縦断側面図である。
【図２】防塵筺体の右半部を切欠した施工状態の平面図である。
【図３】第一実施例にかかる固定装置の正面図である。
【図４】同上の側面図である。
【図５】第二実施例にかかる固定装置の縦断面図である。
【図６】同上の側面図である。
【図７】第三実施例にかかる固定装置の正面図である。
【図８】第三実施例にかかる固定装置の他の構成を示す正面図である。
【図９】第四実施例にかかる固定装置の正面図である。
【図１０】従来構成の施工状態を示す縦断側面図である。
【図１１】他の従来構成の施工状態を示す縦断側面図である。
【符号の説明】
１  ルーフドレイン
２  ドレイン本体
４  排水孔
８  ストレーナー
９  狭幅状通水間隙
１５  防塵筺体
１８  固定装置
１９  係止頭部
２０  連結杆
２１  弾性係合部
２２  支持脚
２３  弾性爪片
２４  ナット
【図１】
0004317306.tif 000002
【図２】
0004317306.tif 000003
【図３】
0004317306.tif 000004
【図４】
0004317306.tif 000005
【図５】
0004317306.tif 000006
【図６】
0004317306.tif 000007
【図７】
0004317306.tif 000008
【図８】
0004317306.tif 000009
【図９】
0004317306.tif 000010
【図１０】
0004317306.tif 000011
【図１１】
0004317306.tif 000012